(57)【要約】【課題】上下の誘電体層の間で位置ずれが生じたとしても、所定のインダクタンス値を得ることが可能な電子部品を提供する。【解決手段】本発明に係る電子部品Ｘ１は、３個以上の誘電体層１０を積層してなる積層体の内部にコイル状導体２０を埋設してなる。コイル状導体２０は、隣接する誘電体層１０間に介在されている３個以上の周回パターン２１、２２を、少なくとも一部が上記積層体の積層方向に隣接する他の周回パターン２１、２２と平面透視して重なるように配置させた上、ビア導体２３を介して電気的に接続して成り、３個以上の周回パターン２１、２２のうち少なくとも１個の周回パターン２１のパターン幅Ｗ１をその上下に位置する周回パターン２２のパターン幅Ｗ２よりも狭くした。【選択図】図１
2007123802.tif 000002
【特許請求の範囲】
【請求項１】
３個以上の誘電体層を積層してなる積層体の内部にコイル状導体を埋設してなる電子部品であって、前記コイル状導体は、隣接する誘電体層間に介在している３個以上の周回パターンを、少なくとも一部が前記積層体の積層方向に隣り合う他の周回パターンと平面透視して重なるように配置させた上、ビア導体を介して電気的に接続してなり、前記３個以上の周回パターンのうち少なくとも１個の周回パターンのパターン幅をその上下に位置する周回パターンのパターン幅よりも狭くしたことを特徴とする電子部品。
【請求項２】
前記積層体が４層以上の誘電体層を積層してなり、前記コイル状導体に対して前記積層体の積層方向両側に前記コイル状導体を間に挟んで対向する一対の接地導体層が配置されていることを特徴とする請求項１に記載の電子部品。
【請求項３】
前記周回パターンのうちパターン幅の狭い周回パターンは、その内周及び外周が、前記積層体を平面透視して、上下に配置されている周回パターンの内側に位置する部位を有することを特徴とする請求項１または請求項２に記載の電子部品。
【請求項４】
前記誘電体層は、前記接地導体層と該接地導体層に対して前記積層方向で隣り合う前記周回パターンとの間の厚さが前記積層方向に隣り合う前記周回パターンどうしの間の厚さよりも大きいことを特徴とする請求項２または３に記載の電子部品。
【請求項５】
前記誘電体層は、前記接地導体層と該接地導体層に対して前記積層方向で隣り合う前記周回パターンとの間の比誘電率が前記積層方向に隣り合う前記周回パターンどうしの間の比誘電率よりも小さいことを特徴とする請求項２から４のいずれかに記載の電子部品。
【請求項６】
前記一対の接地導体層は、前記積層体を厚み方向に貫通する少なくとも１つの貫通導体を介して互いに電気的に接続されていることを特徴とする請求項２〜請求項５のいずれかに記載の電子部品。
【請求項７】
前記３個以上の周回パターンの、それぞれの周回パターンにおける、各幅方向の中央部を通る中心線の長さが、上下に位置する周回パターンよりも幅の狭い周回パターンが長いことを特徴とする請求項１〜請求項６のいずれかに記載の電子部品。
【請求項８】
前記幅の狭い周回パターンの中心線の長さが、上に位置する周回パターンと接続されるビア導体を始点として、前記下に位置する周回パターンと接続されるビア導体までの長さであり、前記上下に位置する周回パターンの長さが、前記幅の狭い周回パターンと接続されるビア導体を始点として、コイル状導体の開始部または終端部までの長さであることを特徴とする請求項７に記載の電子部品。
【請求項９】
前記３個以上の周回パターンの内周および外周の角部が、円弧状に形成されていることを特徴とする請求項１〜請求項８のいずれかに記載の電子部品。
【発明の詳細な説明】
【技術分野】
【０００１】
本発明は、誘電体層を積層してなる積層体の内部にコイル状導体を埋設してなる電子部品に関するものである。
【背景技術】
【０００２】
半導体素子や発信素子等の能動素子や機能素子等とともに回路基板に搭載されて電子回路を構成する電子部品として、誘電体層を積層してなる積層体の内部にコイル状導体を埋設してなる電子部品が知られている。
【０００３】
このような電子部品は、加えられた電気エネルギを一時的に電磁エネルギに変換するインダクタとして機能する。このようなインダクタとしての機能は、どのような導体であっても、その内部に電流が流れると生じる。しかしながら、周回パターンが積層されて成るコイル状に導体を構成する場合、周回パターンで囲まれた内部に磁界が発生し、それによって磁界が強くなるから、インダクタのＱ値（コイル特性）がより向上する。すなわち、インダクタンスは、導体に電流が流れると導体を中心とした同心円状に磁界（磁束）が発生する。そこで、導体をコイル状に成形すると、コイル内部では磁束が同一方向になって強められる。この巻数を調整することによって、巻数に比例した強さの磁界を発生させることができ、所望のインダクタンスを備えるインダクタが形成される。このような構成のインダクタは、例えば特許文献１に開示されている。
【０００４】
ここで、上述のような機能を有する電子部品の作製方法について説明する。まず、酸化アルミニウムの原料粉末に有機バインダや溶剤を添加混合して泥漿状のセラミックスラリーを作製する。次に、このセラミックスラリーを、シート成形技術（例えばドクターブレード法）を用いてシート状と成すことによって、セラミックグリーンシート（セラミック生シート）を得る。次に、得られたセラミックグリーンシートを所定の順に上下に積層して生セラミック成形体と成す。次に、この生セラミック成形体を還元雰囲気中で約１５００℃の高温で焼成する。以上により、所望の電子部品が製作される。
【特許文献１】特開２００３−９２２１４号公報
【発明の開示】
【発明が解決しようとする課題】
【０００５】
しかしながら、このような電子部品においては、上下の誘電体層間で位置ずれが生じる場合があり、その位置ずれに起因して上下のコイル状導体間で、位置ずれが起きる場合がある。
【０００６】
このような場合、上下に隣り合う周回パターンの間で、平面透視したときの重なり幅がばらついたり、重なりの位置がずれたりすることにより、内部導体と積層方向に隣接する他の周回パターンと積層方向に隣接する接地用導体からキャパシタンスの影響を受け、所定のインダクタンス値を得ることができなかったり、インダクタンスの発生する位置がずれたりするという問題があった。
【０００７】
このように、インダクタのインダクタンス値が所定値からずれてしまうと、そのインダクタが搭載される電子回路の電気特性が劣化してしまう。
【０００８】
本発明は、このような事情のもとで考え出されたものであって、上下の誘電体層の間で位置ずれが生じたとしても、所定のインダクタンス値を得ることが可能な電子部品を提供することを、目的とする。
【課題を解決するための手段】
【０００９】
本発明に係る電子部品は、３個以上の誘電体層を積層してなる積層体の内部にコイル状導体を埋設してなる電子部品であって、コイル状導体は、隣接する誘電体層間に介在している３個以上の周回パターンを、少なくとも一部が積層体の積層方向に隣り合う他の周回パターンと平面透視して重なるように配置させた上、ビア導体を介して電気的に接続してなり、３個以上の周回パターンのうち少なくとも１個の周回パターンのパターン幅をその上下に位置する周回パターンのパターン幅よりも狭くしたことを特徴とする。
【００１０】
好ましくは、積層体が４層以上の誘電体層を積層してなり、コイル状導体に対して積層体の積層方向両側にコイル状導体を間に挟んで対向する一対の接地導体層が配置されている。
【００１１】
好ましくは、周回パターンのうちパターン幅の狭い周回パターンは、その内周及び外周が、積層体を平面透視して、上下に配置されている周回パターンの内側に位置する部位を有する。
【００１２】
好ましくは、誘電体層は、接地導体層と接地導体層に対して積層方向で隣り合う周回パターンとの間の厚さが積層方向に隣り合う周回パターンどうしの間の厚さよりも大きい。
【００１３】
好ましくは、誘電体層は、接地導体層と接地導体層に対して積層方向で隣り合う周回パターンとの間の比誘電率が積層方向に隣り合う周回パターンどうしの間の比誘電率よりも小さい。
【００１４】
好ましくは、前記一対の接地導体層は、前記積層体を厚み方向に貫通する少なくとも１つの貫通導体を介して互いに電気的に接続されている。
【００１５】
好ましくは、前記３個以上の周回パターンの、それぞれの周回パターンにおける、各幅方向の中央部を通る中心線の長さが、上下に位置する周回パターンよりも幅の狭い周回パターンが長い。
【００１６】
好ましくは、前記幅の狭い周回パターンの中心線の長さが、上に位置する周回パターンと接続されるビア導体を始点として、前記下に位置する周回パターンと接続されるビア導体までの長さであり、前記上下に位置する周回パターンの長さが、前記幅の狭い周回パターンと接続されるビア導体を始点として、コイル状導体の開始部または終端部までの長さである。
【００１７】
好ましくは、前記３個以上の周回パターンの内周および外周の角部が、円弧状に形成されている。
【発明の効果】
【００１８】
本発明の電子部品では、３個以上の周回パターンのうち少なくとも１個の周回パターンのパターン幅がその上下に位置する周回パターンのパターン幅よりも狭くされている。そのため、本電子部品では、上下の誘電体層の間で位置ずれ（積層ずれ）が生じたとしても、パターン幅の狭い周回パターンが、平面視で、その上下に隣り合う周回パターンと重なる領域から外れ難くなるので、上下の周回パターンの間で、周回パターン間の位置ずれや、重なりの位置のずれ、重なりの幅のずれなどの発生が抑制される。したがって、本電子部品では、上下の周回パターン同士の対向する面積（や対向する位置）が所定値から大きくずれるようなことは抑制されるので、新たなキャパシタンスの発生を抑制することができる。
【００１９】
また、本電子部品は、コイル状導体が隣接する誘電体層間に介在されている３個以上の周回パターンを、少なくとも一部が前記積層体の積層方向に隣接する他の周回パターンと平面透視して重なるように配置させた上、ビア導体を介して電気的に接続して成る。したがって、本電子部品は、周回パターンの数を充分に確保して、Ｑ値の高いインダクタを小型に形成することができる。
【００２０】
積層体が４層以上の誘電体層を積層して成り、コイル状導体に対して積層体の積層方向両側にコイル状導体を間に挟んで対向する一対の接地導体層が配置されている電子部品は、コイル状導体に強い磁界が発生した場合においても、これら一対の接地導体により磁力が外部に漏れるのを抑制することができる。したがって、本電子部品では、他の電子部品などに磁界による影響を与えるのを抑制することができるので、より安定した電子部品とすることができるのである。
【００２１】
周回パターンのうちパターン幅の狭い周回パターンの内周及び外周が、積層体を平面透視して、上下に配置されている周回パターンの内側に位置する部位を有する電子部品は、幅の狭い周回パターンが実質的に全域において平面視で上下の周回パターンと重なる。したがって、本電子部品は、磁界がより有効に発生するため、Ｑ値を高めるうえで好適である。
【００２２】
誘電体層が接地導体層と接地導体層に対して積層方向で隣り合う周回パターンとの間の厚さが積層方向に隣り合う周回パターンどうしの間の厚さよりも大きい電子部品は、接地導体層と接地導体層に対して積層方向で隣り合う周回パターンとの間に介在する誘電体の厚さが大きい。そのため、本電子部品では、互いに対向する接地導体層および周回パターンを容量電極として両者間に生じるキャパシタンスを効果的に低く抑えることができる。したがって、本電子部品は、Ｑ＝１／ωｃＲ（ω：角周波数（周回パターンを通る電気信号の周波数）、ｃ：キャパシタンス（周回パターンと接地導体層との間に生じるキャパシタンス）、Ｒ：抵抗（周回パターンの電気抵抗））の関係式より、Ｑ値を高めるうえで好適であることがわかる。
【００２３】
誘電体層が接地導体層と接地導体層に対して積層方向で隣り合う周回パターンとの間の比誘電率が積層方向に隣り合う周回パターンどうしの間の比誘電率よりも小さい電子部品は、接地導体層と接地導体層に対して積層方向で隣り合う周回パターンとの間に介在する誘電体の比誘電率が小さい。そのため、本電子部品では、互いに対向する接地導体層および周回パターンを容量電極として両者間に生じるキャパシタンスを効果的に低く抑えることができる。したがって、本電子部品は、上記関係式より、Ｑ値を高めるうえで好適であることがわかる。
【００２４】
一対の接地導体層が、積層体を厚み方向に貫通する少なくとも１つの貫通導体を介して互いに電気的に接続されている電子部品は、一対の接地導体層の電気抵抗がより低いインダクタとなる。そのため、接地電位がより一層安定し、コイル状導体と外部との電磁的な遮蔽がより有効に行なわれるため、コイル状導体に強い磁界が発生した場合においても、これら一対の接地導体層により磁力が外部に漏れるのをより効率よく抑制することができる。したがって、本電子部品では、外部に対する電磁的な影響（ノイズ漏れ等）を、より効果的に抑制することができる。
【００２５】
３個以上の周回パターンの、それぞれの周回パターンにおける、各幅方向の中央部を通る中心線の長さが、上下に位置する周回パターンよりも幅の狭い周回パターンが長い電子部品は、互いに対向する接地導体層からのキャパシタンスの影響をほとんど受けない幅の狭い周回パターン（上下の各接地導体層との間に他の周回パターンが介在するため）が、コイル状導体の周回パターン全長に対する割合が大きくなる。そのため、本電子部品では、誘電体層間で位置ずれが生じ、その位置ずれに起因して上下の周回パターン間で、位置ずれが起きても、キャパシタンスの変わらない、より安定した電子部品とすることができる。
【００２６】
好ましくは、幅の狭い周回パターンの中心線の長さが、上に位置する周回パターンと接続されるビア導体を始点として、下に位置する周回パターンと接続されるビア導体までの長さであり、上下に位置する周回パターンの長さが、幅の狭い周回パターンと接続されるビア導体を始点として、コイル状導体の開始部または終端部までの長さである。この電子部品は、互いに対向する接地導体層からのキャパシタンスの影響をほとんど受けない幅の狭い周回パターンの有効な長さが、有効なコイル状導体の周回パターン全長に対する割合が大きくなる。そのため、本電子部品では、誘電体層間で位置ずれが生じ、その位置ずれに起因して上下のコイル状導体間で、位置ずれが起きても、キャパシタンスの変わらないより安定した電子部品とすることができる。
【００２７】
３個以上の周回パターンの内周および外周の角部が、円弧状に形成されている電子部品は、平面透視で、積層方向に隣り合う周回パターン同士が、角部において円弧に沿って重なり合う。そのため、上下に位置する周回パターンと幅の狭い周回パターンが、積層時にたとえ回転ずれ（θずれ）を起こしても、その回転ずれは角部では円弧状のパターンに沿って生じるので、例えば、幅の狭い周回パターンの角部が上下に位置する周回パターンの角部より平面視で飛び出すことが抑制される。
【００２８】
したがって、本電子部品は、互いに対向する接地導体層からのキャパシタンスの影響を受けることなく、よりＱ値を高くすることができる。
【００２９】
あわせて、上下の周回パターン同士の対向する面積（や対向する位置）が所定値から大きくずれるようなことはより確実に抑制される。
【発明を実施するための最良の形態】
【００３０】
図１は、本発明の第１の実施形態に係る電子部品Ｘ１を表し、（ａ）はそのＡ−Ａ’断面図であり、（ｂ）はその分解斜視図である。電子部品Ｘ１は、複数（本実施形態では４つ）の誘電体層１０と、コイル状導体２０と、一対の接地導体層３０とを備える。
【００３１】
誘電体層１０は、酸化アルミニウム質焼結体やガラスセラミック焼結体，窒化アルミニウム質焼結体，ムライト質焼結体等のセラミック焼結体、エポキシ樹脂，ポリイミド樹脂等の有機樹脂、または酸化アルミニウム等の無機粉末をエポキシ樹脂等の有機樹脂で結合してなる複合材料等の電気絶縁材料により形成されている。
【００３２】
ここで、誘電体層１０を構成する材料として酸化アルミニウム質焼結体を採用した場合における積層体の作製方法の一例について説明する。まず、酸化アルミニウム（アルミナ）やガラスなどの原料粉末を有機溶剤やバインダなどと混合して泥漿状のセラミックスラリーを作製する。次に、作製されたセラミックススラリーを所定のシート成形技術（例えば、ドクターブレード法やカレンダーロール法）によりシート状に成形して、セラミックグリーンシート（セラミック生シート）を得る。次に、得られたセラミックグリーンシートを所定の順に上下に積層して生セラミックの積層体と成す。次に、この生セラミック成形体を還元雰囲気中で約１３００〜１６００℃の高温で焼成する。以上のようにして、積層体は作製される。なお、誘電体層１０の作製方法としては、上述の作製方法に限られず、上記樹脂を用いて射出成形やトランスファー成形により作製するようにしてもよい。
【００３３】
コイル状導体２０は、周回パターン２１、２２およびビア導体２３を有し、周回パターン２１と周回パターン２２とをビア導体２３により電気的に接続することにより形成されている。また、コイル状導体２０は、上記積層体の内部に埋設されている。
【００３４】
コイル状導体２０に電流が流れると、各周回パターン２１、２２にいわゆる右ねじの進む向きに磁界が発生する。各周回パターン２１、２２で生じる磁束が同一方向になって磁界が強められ、このコイル内部に磁界の強さ（Ｈ）に応じたインダクタンスが発生する。磁界の強さは、コイルの巻数に比例するので、周回パターン２１、２２の積層数（本実施形態では２つ）を調整することにより、所定の強さの磁界を発生させることができる。そして、この磁界により生じるインダクタンスにより、電子部品Ｘ１は、例えばインダクタとして機能する。
【００３５】
周回パターン２１のパターン幅Ｗ１は、周回パターン２２のパターン幅Ｗ２よりも狭くなるように構成されている。また、周回パターン２１は、その内周および外周が上記積層体を平面透視して、周回パターン２２の幅方向における内側に位置する部位を有する。
【００３６】
周回パターン２１、２２およびビア導体２３構成する材料としては、タングステン、モリブデン、マンガン、銅、銀、金、パラジウム、白金等の金属材料が挙げられる。
【００３７】
ここで、周回パターン２１、２２を構成する材料として銅を採用した場合における周回パターン２１、２２の形成方法の一例について説明する。まず、銅ペーストを用意する。次に、この銅ペーストを、誘電体層１０となるセラミックグリーンシートの表面に対して所定の印刷手法（例えば、スクリーン印刷法）で印刷する。以上のようにして、周回パターン２１、２２が形成される。
【００３８】
また、ビア導体２３は、例えば、誘電体層１０となるセラミックグリーンシートの所定部位（上下の周回パターン間を接続させる部位）に貫通孔（図示せず）を形成しておいて、その貫通孔に、周回パターン２１、２２を形成するのと同様の金属ペーストを充填することにより形成することができる。
【００３９】
周回パターン２１、２２は、例えば、四角形状の誘電体層１０の層間の外周に沿って形成された枠状や環状等のパターンであり、層間の全周にわたるものや一部に非形成部を有するものを含む。
【００４０】
接地導体層３０は、周回パターン２１、２２に対して上記積層体の積層方向両側にコイル状導体２０を間に挟んで対向するように設けられている。
【００４１】
本実施形態に係る電子部品Ｘ１では、合計３個の周回パターン２１、２２のうち１個の周回パターン２１のパターン幅Ｗ１がその上下に位置する周回パターン２２のパターン幅Ｗ２よりも狭くされている。そのため、電子部品Ｘ１では、上下の誘電体層１０の間で位置ずれ（積層ずれ）が生じたとしても、周回パターン２１が、平面視で、その上下に隣り合う周回パターン２２と重なる領域から外れ難くなるので、周回パターン２２の間で、周回パターン２１間の位置ずれや、重なりの位置のずれ、重なりの幅のずれなどの発生が抑制される。したがって、電子部品Ｘ１では、上下の周回パターン２２同士の対向する面積（や対向する位置）が所定値から大きくずれるようなことは抑制されるので、新たなキャパシタンスの発生を抑制することができる。
【００４２】
電子部品Ｘ１は、コイル状導体２０が隣接する誘電体層１０間に介在されている３個の周回パターン２１、２２を、少なくとも一部が上記積層体の積層方向に隣接する他の周回パターン２１、２２と平面透視して重なるように配置させた上、ビア導体２３を介して電気的に接続して成る。したがって、電子部品Ｘ１は、周回パターン２１、２２の数を充分に確保して、Ｑ値の高いインダクタを小型に形成することができる。
【００４３】
電子部品Ｘ１は、上記積層体が４層の誘電体層１０を積層して成り、コイル状導体２０に対して上記積層体の積層方向両側にコイル状導体２０を間に挟んで対向する一対の接地導体層３０が配置されている。そのため、電子部品Ｘ１では、コイル状導体２０に強い磁界が発生した場合においても、その磁界は、コイル状導体の中心部を、コイル状導体の一方の端から他方の端にかけて（積層方向に）貫通する磁束により形成されるので、これら一対の接地導体層３０で遮断され、外部に漏れることが抑制される。したがって、電子部品Ｘ１では、他の電子部品などに磁界による影響を与えるのを抑制することができるので、より信頼性の高い電子機器（携帯電話や無線ＬＡＮ等の通信装置、コンピュータ）等を構成することが可能な電子部品とすることができるのである。
【００４４】
電子部品Ｘ１では、周回パターン２１の内周及び外周が、上記積層体を平面透視して、上下に配置されている周回パターン２２の内側に位置する部位を有する。そのため、電子部品Ｘ１は、周回パターン２１が実質的に全域で平面視で上下の周回パターン２２と重なる。したがって、電子部品Ｘ１は、磁界がより有効に発生するため、Ｑ値を高めるうえで好適である。
【００４５】
図２は、本発明の第２の実施形態に係る電子部品Ｘ２を表し、（ａ）はそのＢ−Ｂ’断面図であり、（ｂ）はその分解斜視図である。電子部品Ｘ２は、誘電体層１０において、接地導体層３０と接地導体層３０に対して積層方向で隣り合う周回パターン２２との間の厚さを積層方向に隣り合う周回パターン２１，２２どうしの間の厚さよりも大きいものとした点において、電子部品Ｘ１と異なる。電子部品Ｘ２の他の構成については、電子部品Ｘ１に関して上述したのと同様である。
【００４６】
なお、誘電体層１０において、接地導体層３０と接地導体層３０に対して積層方向で隣り合う周回パターン２２との間の厚さを積層方向に隣り合う周回パターン２１、２２どうしの間の厚さよりも大きいものとする方法としては、例えば、接地導体層３０と接地導体層３０に対して積層方向で隣り合う周回パターン２２との間において、誘電体層１０を構成するセラミックグリーンシート自体の厚さを厚くする方法や、積層する層数を多くする方法などが挙げられる。
【００４７】
本実施形態に係る電子部品Ｘ２は、接地導体層３０と接地導体層３０に対して積層方向で隣り合う周回パターン２２との間に介在する誘電体の厚さが大きい。そのため、電子部品Ｘ２では、互いに対向する接地導体層３０および周回パターン２２を容量電極として両者間に生じるキャパシタンスは効果的に低く抑えることができる。したがって、電子部品Ｘ２は、Ｑ＝１／ωｃＲ（ω：角周波数（周回パターンを通る電気信号の周波数）、ｃ：キャパシタンス（周回パターンと接地導体層との間に生じるキャパシタンス）、Ｒ：抵抗（周回パターンの電気抵抗））の関係式より、Ｑ値を高めるうえで好適であることがわかる。
【００４８】
本発明の第３の実施形態に係る電子部品Ｘ３は、誘電体層１０において、接地導体層３０と、接地導体層３０に対して積層方向で隣り合う周回パターン２２との間の比誘電率が積層方向に隣り合う周回パターン２１、２２間の比誘電率よりも小さいものとした点において、電子部品Ｘ１と異なる。電子部品Ｘ３の他の構成については、電子部品Ｘ１に関して上述したのと同様である。
【００４９】
なお、誘電体層１０において、接地導体層３０と、接地導体層３０に対して積層方向で隣り合う周回パターン２２との間の比誘電率を、積層方向に隣り合う周回パターン２１、２２間の比誘電率に比し小さくする方法としては、例えば、誘電体層１０に、銀（Ａｇ）、アルミニウム（Ａｌ）、ケイ素（Ｓｉ）などの金属複合酸化物（例えばＡｇＯ３、Ａｌ２Ｏ３、ＳｉＯ２など）を添加する方法などが挙げられる。
【００５０】
本実施形態に係る電子部品Ｘ３は、接地導体層３０と、接地導体層３０に対して積層方向で隣り合う周回パターン２２との間に介在する誘電体の比誘電率が小さい。そのため、電子部品Ｘ３では、互いに対向する接地導体層３０および周回パターン２２を容量電極として両者間に生じるキャパシタンスを効果的に低く抑えることができる。したがって、本電子部品は、上記関係式より、Ｑ値を高めるうえで好適であることがわかる。
【００５１】
図３は、本発明の第４の実施形態に係る電子部品Ｘ４を表し、（ａ）はＣ−Ｃ’断面図であり、（ｂ）はその分解斜視図である。電子部品Ｘ４は、一対の接地導体層３０が、積層体を厚み方向に貫通する少なくとも１つの貫通導体４０を介して互いに電気的に接続されている点において、電子部品Ｘ１と異なる。電子部品Ｘ４の他の構成については、電子部品Ｘ１に関して上述したのと同様である。図３において図１と同じ部位には同じ符号を付している。
【００５２】
本実施形態に係る電子部品Ｘ４は、一対の接地導体層３０は、積層体を厚み方向に貫通する少なくとも１つの貫通導体４０を介して互いに電気的に接続されていることから、一対の接地導体層３０はより低いインダクタとなる。そのため、接地電位がより一層安定し、コイル状導体２０と外部との電磁的な遮蔽がより有効に行なわれるため、コイル状導体２０に強い磁界が発生した場合においても、これら一対の接地導体層３０により磁力が外部に漏れるのをより効率よく抑制することができる。したがって、本電子部品Ｘ４では、外部に対する電磁的な影響（ノイズ漏れ等）を、より効果的に抑制することができる。
【００５３】
貫通導体４０は、例えば、ビア導体２３と同様の材料および方法により形成することができる。貫通導体４０が銅で形成されている場合であれば、例えば、誘電体層１０となる複数のセラミックグリーンシートに、積層した際に、上層から下層まで連通するように貫通孔（図示せず）を形成し、その貫通孔に銅ペーストを充填することにより、貫通導体４０が形成される。
【００５４】
本発明の電子部品Ｘ１〜Ｘ４において、３個以上の周回パターン２１、２２の、それぞれの周回パターンにおける、各幅方向の中央部を通る中心線の長さが、上下に位置する周回パターン２２よりも幅の狭い周回パターン２１が長いことが好ましい。
【００５５】
この構成により、互いに対向する接地導体層３０からのキャパシタンスの影響をほとんど受けない幅の狭い周回パターン２１（上下の各接地導体層３０との間に他の周回パターン２２が介在するため）が、コイル状導体の周回パターン全長に対する割合が大きくなる。そのため、本電子部品では、誘電体層１０間で位置ずれが生じ、その位置ずれに起因して上下の周回パターン２１、２２間で、位置ずれが起きても、キャパシタンスの変わらない、より電気特性が安定した電子部品とすることができる。
【００５６】
また、３個以上の周回パターン２１、２２の、それぞれの周回パターン２１、２２における、各幅方向の中央部を通る中心線の長さを、上下に位置する周回パターン２２よりも幅の狭い周回パターン２１が長いようにする場合、幅の狭い周回パターン２１の中心線の長さが、上に位置する周回パターン２２と接続されるビア導体２３を始点として、下に位置する周回パターン２２と接続されるビア導体２３までの長さであり、上下に位置する周回パターン２２の長さが、幅の狭い周回パターン２１と接続されるビア導体２３を始点として、コイル状導体２０の開始部または終端部までの長さであることがより一層好ましい。
【００５７】
この構成により、互いに対向する接地導体層３０からのキャパシタンスの影響をほとんど受けない幅の狭い周回パターン２１の有効な長さが、有効なコイル状導体の周回パターン全長に対する割合が大きくなる。そのため、本電子部品では、誘電体層１０間で位置ずれが生じ、その位置ずれに起因して上下の周回パターン２１、２２間で、位置ずれが起きても、キャパシタンスの変わらない、より安定した電子部品とすることができる。
【００５８】
また、本発明の電子部品Ｘ１〜Ｘ４において、３個以上の周回パターン２１、２２の内周および外周の角部が、円弧状に形成されていることが好ましい。
【００５９】
この場合、上下に位置する周回パターン２２と幅の狭い周回パターン２１が、積層時にたとえ回転ずれ（θずれ）を起こしても、幅の狭い周回パターン２１の角部が上下に位置する周回パターン２２の角部より平面視で飛び出すことが抑制される。
【００６０】
したがって、本電子部品は、互いに対向する接地導体層３０からのキャパシタンスの影響を受けることなく、よりＱ値を高くすることができる。
【００６１】
あわせて、上下の周回パターン２１、２２同士の対向する面積（や対向する位置）が所定値から大きくずれるようなことはより確実に抑制される。
【００６２】
なお、周回パターン２１、２２の角部を円弧状にする場合、上下の周回パターン２１、２２の間で円弧の曲率半径を同じにしておくのが好ましく、さらに、外周側と内周側とで曲率半径がほぼ同心半径であることが、より好ましい。このような形状とすることにより、積層時にたとえ回転ずれ（θずれ）を起こしても、幅の狭い周回パターン２１の角部が上下に位置する周回パターン２２の角部より平面視で飛び出すことが、より抑制される。
【００６３】
以上、本発明の具体的な実施形態を示したが、本発明はこれに限定されるものではなく、発明の思想から逸脱しない範囲内で種々の変更が可能である。
【００６４】
電子部品Ｘ１は、単独でインダクタとして用いられるものに限らず、インダクタンスの機能を内蔵するとともに他の機能（アンテナの機能や、半導体素子や圧電素子、センサ素子等の電子部品素子搭載の機能等）を備えたものでもよい。
【図面の簡単な説明】
【００６５】
【図１】本発明の第１の実施形態に係る電子部品を表し、（ａ）はその断面図であり、（ｂ）はその分解斜視図である。（ａ）は（ｂ）のＡ−Ａ’断面図である。
【図２】本発明の第２の実施形態に係る電子部品を表し、（ａ）はその断面図であり、（ｂ）はその分解斜視図である。（ａ）は（ｂ）のＢ−Ｂ’断面図である。
【図３】本発明の第４の実施形態に係る電子部品を表し、（ａ）はその断面図であり、（ｂ）はその分解斜視図である。（ａ）は（ｂ）のＣ−Ｃ’断面図である。
【符号の説明】
【００６６】
Ｘ    電子部品
１０    誘電体層
２０    コイル状導体
２１，２２    周回パターン
２３    ビア導体
３０    接地導体層
４０    貫通導体
【図１】
2007123802.tif 000003
【図２】
2007123802.tif 000004
【図３】
2007123802.tif 000005